(57)【要約】      （修正有）【課題】ユーザーにより快適に動作されるように配置された回転可能なハンドグリップを有する１つの以上のハンドル装置を有する複合自転車エクササイズ装置を提供する。【解決手段】複合自転車エクササイズ装置１０は、ベース１１と、スピンドル１４及びクランク１５でベースに回転可能に取り付けられた一対のフットペダル１３とを有する。一対のハンドルステム２０は、ユーザーにより引っ張られ、押し出され、且つ動作されるように、アクセル２２でベースに枢軸回転可能にそれぞれ取り付けられており、一対のハンドグリップ３４は、ハンドルステムの上部に回転可能に取り付けられ、ハンドルステムい相対して内的及び外的に回転可能であり、ユーザーに向かって且つ離れて簡易にハンドルステムを引っ張り得るようにされている。【選択図】図１
0003111501.tif 000002
【実用新案登録請求の範囲】
【請求項１】
ベース；
ユーザーに動作されるように、スピンドル及びクランクで前記ベースに回転可能に結合された一対のフットペダル；
ユーザーにより引っ張られ、押し出され且つ動作されるように、アクセルで前記ベースに枢軸回転可能に結合された底部をそれぞれ有する一対のハンドルステムであって、上部分をそれぞれ有するハンドルステム；並びに
ハンドルステムを簡易にユーザーに向かって且つユーザーから離れて引っ張られ得るように、前記ハンドルステムの上部にそれぞれ回転可能に結合され前記ハンドルステムに相対して内的且つ外的に回転し得る一対のハンドグリップ；
を有することを特徴とする複合自転車エクササイズ装置。
【請求項２】
前記ハンドルステムは、前記上部上に設けられたケーシングをそれぞれ有し、
前記ハンドグリップは、ハンドルステムがシャフトで前記ケーシングに回転可能に結合され得るように、前記ハンドグリップから伸張されたシャフトをそれぞれ有し、
前記ケーシングは、内部に形成されたボアと端部から内的に伸びた周辺フランジとを有し、内部にアパーチャを形成し、且つ、前記シャフトを受け、
前記ケーシングは、前記ボアに配置され前記シャフトで係合された少なくとも１つのベアリングをさらに有し、前記シャフトを前記ケーシングに回転可能に結合している
ことを特徴とする請求項１に記載の複合自転車エクササイズ装置。
【請求項３】
前記ハンドグリップは、ブラケットからそれぞれ伸び、
該ブラケットは、該ブラケットから伸び前記ケーシングに回転可能に結合された前記シャフトを有し、
前記ブラケットは、ユーザーにより動作されるように且つ前記フットペダルへ適用される抵抗力を調節するように、上部に設けられたスイッチボタンをさらに有する
ことを特徴とする請求項２に記載の複合自転車エクササイズ装置。
【請求項４】
前記ブラケットは、ユーザーにより作動されるように且つ前記ハンドルステムへ適用される抵抗力を調節するように、上部に設けられたスイッチボタンを有することを特徴とする請求項３に記載の複合自転車エクササイズ装置。
【考案の詳細な説明】
【技術分野】
【０００１】
本考案は、複合自転車エクササイズ装置に係り、特に、ユーザーが簡便に動作させるように配置されたハンドル装置を有する複合自転車エクササイズ装置に関する。
【背景技術】
【０００２】
従来の複合自転車エクササイズ装置は、ハンドルが内的及び外的に回転し得るように、且つ、ユーザーがペダル駆動又はサイクリングエクササイズと手動で動作するエクササイズとを同時に行い得るように、フットペダルで駆動される伝動ボックスと、伝動ボックスに枢軸回転可能に結合されたハンドルとを有する。
【０００３】
例えば、Ｌｅｅによる特許文献１は、ユーザーにより回転又は駆動されるように設けられた一対のフットペダルと、フットペダル又はこれに類似する部材に結合された一対のハンドルとを有しており、これにより、この複合自転車エクササイズ装置を動作させつつ、ユーザーは、ハンドルを引っ張り、駆動させ、或いは作動させることを可能としていた。
【０００４】
しかしながら、これらの２つのハンドルは、互いに強固に固定又は結合されており、ハンドルの上部上に設けられたハンドグリップは、ハンドルから傾斜され又は横方向に伸張されて形成されており、ハンドルのハンドグリップ部は、ユーザーにより容易に動作されない可能性があり、特に、ハンドルのハンドグリップ部がユーザーに向かって引っ張られる際、顕著であった。
【０００５】
例えば、複合自転車エクササイズ装置を適切に動作させるため、ユーザーの手がユーザーに相対して前方及び後方へと移動され、ユーザーの手がユーザーから離れて移動される際、ユーザーの手を外方向又は互いに離れて移動させることはより困難であり、且つ、ユーザーの手をユーザーに近づくように移動される際、ユーザーの手を内的又は互いの手に向かって移動させるのもより困難である。
【０００６】
本考案は、従来の複合自転車エクササイズ装置における上述のような欠点を緩和及び／又は解消するためになされたものである。
【特許文献１】米国特許第４，６６０，８２６号明細書
【考案の開示】
【考案が解決しようとする課題】
【０００７】
本考案の主目的は、ユーザーにより快適に動作されるように配置された回転可能なハンドグリップを有する１つの以上のハンドル装置を有する複合自転車エクササイズ装置を提供することである。
【課題を解決するための手段】
【０００８】
本考案の一態様によると以下の複合自転車エクササイズ装置を提供する。
【０００９】
ベース；
ユーザーに動作されるように、スピンドル及びクランクで前記ベースに回転可能に結合された一対のフットペダル；
ユーザーにより引っ張られ、押し出され且つ動作されるように、アクセルで前記ベースに枢軸回転可能に結合された底部をそれぞれ有する一対のハンドルステムであって、上部分をそれぞれ有するハンドルステム；並びに
ハンドルステムを簡易にユーザーに向かって且つユーザーから離れて引っ張られ得るように、ハンドルステムに相対して、ハンドグリップを内的且つ外的に回転することにより、前記ハンドルステムの上部にそれぞれ回転可能に結合され前記ハンドルステムに相対して内的且つ外的に回転し得る一対のハンドグリップ；
を有することを特徴とする複合自転車エクササイズ装置。
【００１０】
ハンドルステムは、上部上に設けられたケーシングをそれぞれ有し、ハンドグリップは、ハンドグリップから伸びたシャフトをそれぞれ有し、ケーシングに回転可能に結合され、シャフトで、ケーシングにハンドルステムを回転可能に結合され得るようになる。ハンドグリップは、それぞれブラケットから伸び、ブラケットは、伸張され且つケーシングに回転可能に結合されたシャフトを有する。
【００１１】
ケーシングは、内部に形成されたボアと、ケーシングの一端から内的に延ばされボアへと伸びる周辺フランジとを有し、内部にアパーチャを形成し、且つ、シャフトを回転可能に受ける。ケーシングは、ボアに配置されシャフトに係合された少なくとも１つのベアリングを有し、シャフトをケーシングに回転可能に結合する。シャフトは、結合されベアリングに係合された保持リングを有し、シャフトをケーシングに回転可能に結合し、シャフトがケーシングから脱係合しないようにしている。
【００１２】
本考案のさらなる目的及び利点は、添付した図面を適宜参照しつつ、以下の詳細な説明を注意深く読むことにより、明らかとなるであろう。
【考案の効果】
【００１３】
ユーザーの手足の移動／運動が簡便に同期され得るエクササイズ機を提供する。
【考案を実施するための最良の形態】
【００１４】
最初に図１乃至図４を参照すると、本考案による複合自転車エクササイズ装置１０は、ユーザーを支持するため上部に任意に形成又は設けられたシート１２を有するベース１１と、ユーザーにより駆動又は動作されるように、スピンドル１４とクランク１５とでベース１１に回転可能に結合された一対のフットペダル１３と、ベース１１のフロント部から伸び又は設けられ上部上に設けられたコントロール装置又はコントロールパネル１７を有するポスト１６とを備える。
【００１５】
複合自転車エクササイズ装置１０は、ユーザーにより引っ張り、押し出し或いは動作されるように、アクセル２２でベース１１に回転可能又は枢軸回転可能に結合された下部２１をそれぞれ有する一対のハンドルステム２０をさらに有する。ハンドルステム２０は、上部に配置されたケーシング２４を有する上部２３をそれぞれ有する。ケーシング２４は、内部、好ましくはハンドルステム２０に垂直に形成されたボア２５と一端から内的にボア２５へと伸びる周辺フランジ２６とを有し、内部にアパーチャ２７を形成している。なお、この様子を最適に示すのは、図４である。
【００１６】
ブラケット３０は、ブラケット３０から伸びケーシング２４のアパーチャ２７を介してケーシング２４のボア２５に回転可能に係合されケーシング２４に係合される１つ以上のベアリング３２でケーシング２４に回転可能に固定されたシャフト３１を有し、ケーシング２４及びハンドルステム２０に相対してブラケット３０がスムーズに回転され得るようにする。保持リング３３は、ブラケット３０のブラケット３０をケーシング２４に回転可能に固定されるように、シャフト３１にさらに固定されてもよく、且つ、ケーシング２４又はベアリング３２で係合されてもよい。
【００１７】
ブラケット３０のシャフト３１は、鋳造や鋳造射出工程などにより、ブラケット３０から強固に伸びていてもよく、或いは、ファスナー、ラッチやこれに類する部材（図示せず）などによりブラケット３０に固定されてもよい。ブラケット３０は、これから伸びるハンドグリップ３４を有し、これは、好ましくは、シャフト３１に垂直である。ハンドグリップ３４は、ブラケット３０に一体的形成され或いは強固に固定されてもよく、ハンドグリップ３４及びブラケット３０がケーシング２４に相対して強調的に回転され得るようにされている。
【００１８】
ハンドグリップ３４及びブラケット３０は、互いに固定されてもよく、或いは、互いに一体構造となるように一体的に形成されてもよく、ハンドグリップ３４又はブラケット３０から伸びるシャフト３１を有してもよく、ハンドグリップ３４を直接又は回転可能にケーシング２４又はハンドルステム２０にシャフト３１で固定され得るようにし、且つ、上部２３をケーシング２４及びハンドルステム２０に相対して内的且つ外的に回転し得るようにしている（図２及び図５参照）。
【００１９】
ブラケット３０、フットペダル１３に適用される抵抗力を調節したりハンドルステム２０に適合される抵抗力を調節したりするように、ユーザーにより押し下げ或いは作動されるように、上部に１つ以上のボタン３５をさらに有することが好ましい。
【００２０】
動作時、図２及び図５に示すように、ハンドグリップ３４は、特に、ハンドグリップ３４がシート１２に向かって且つシート１２から離れて引っ張られる際、ハンドルステム２０がユーザーによりシート１２に向かって且つ離れて簡単に動作又は引っ張られるように、ケーシング２４及びハンドルステム２０に相対して内的且つ外的に回転されてもよい。
【００２１】
従って、本考案の複合自転車エクササイズ装置は、ユーザーにより快適に作動又は動作されるように、１つ以上のハンドル装置を有する。
【００２２】
本考案は、特定の程度で上述の通り述べたが、本願に開示の内容は、例示のみによりなされており、詳細な構成並びに部品の組み合わせ及び配置は、請求項に記載の考案の精神及び範囲から逸脱することなく保持され得ることを理解すべきである。
【図面の簡単な説明】
【００２３】
【図１】本考案による複合自転車エクササイズ装置の斜視図である。
【図２】複合自転車エクササイズ装置の部分分解図である。
【図３】複合自転車エクササイズ装置のハンドルの部分拡大図である。
【図４】図３の線４−４に沿って見た複合自転車エクササイズ装置の部分断面図である。
【図５】図２と同様の部分分解図であって、複合自転車エクササイズ装置の動作を示す図である。
【符号の説明】
【００２４】
１０    複合自転車エクササイズ装置
１１    ベース
１２    シート
１３    フットペダル
１４    スピンドル
１５    クランク
１６    ポスト
１７    コントロールパネル
２０    ハンドルステム
２１    下部
２２    アクセル
２３    上部
２４    ケーシング
２５    ボア
２６    周辺フランジ
２７    アパーチャ
３０    ブラケット
３１    シャフト
３２    ベアリング
３３    保持リング
３４    ハンドグリップ
３５    ボタン
【図１】
0003111501.tif 000003
【図２】
0003111501.tif 000004
【図３】
0003111501.tif 000005
【図４】
0003111501.tif 000006
【図５】
0003111501.tif 000007